(57)【要約】      （修正有）【課題】コンテンツのアイテムを共有する目的でＷｉＦｉ  Ｄｉｓｐｌａｙなどの、表示フォワーディング機能に互換性の通知を与える機能を利用してオーディオビジュアルプログラムを転送する方法を提供する。【解決手段】デバイスのリンク層に情報要素を挿入するＳ１ステップと、ダイレクトポイントツーポイントリンクによってインタフェースに接続された第２のリモートデバイスから情報のアイテムを受信するＳ２ステップと、リモートコマンドを表す情報のアイテムを使用するデバイスによって受信されるアイテムの受信と再生の制御を構成するＳ３ステップと、インタフェースのＭＡＣリンク層において、リンクを介して接続されたリモートデバイスにオーディオビジュアルコンテンツの符号化され、受信されたアイテムを挿入するように適応されたデータを挿入するＳ４ステップと、を含む。【選択図】図３
2015084513.tif 000002
【特許請求の範囲】
【請求項１】
第１のインタフェース（２）と第２のインタフェース（３）とを備えるオーディオビジュアルプログラムを受信するレシーバデバイス（１）であって、前記第１のインタフェース（２）は少なくとも１つのオーディオビジュアルプログラムを受信するように適応されており、前記第２のインタフェース（３）はリモートデバイスに表示フォワーディングする機能と互換性があり、
−前記リモートデバイスから、前記レシーバデバイス（１）の受信パラメータの構成を目的とするリモートコマンドを表す情報のアイテム（２００）を受信するように適応された受信モジュール（３１）と、
−リモートコマンドを表す情報の前記アイテム（２００）を使用して前記第１のインタフェース（２）を介して受信されるオーディオビジュアルプログラムの受信を制御するように適応された制御モジュール（４）と、
を備える、前記レシーバデバイス（１）。
【請求項２】
前記第２のインタフェースは、前記レシーバデバイスをダイレクトポイントツーポイントリンク（６）によって前記リモートデバイスに接続し、前記ダイレクトリンク（６）は情報の前記アイテムを送信するためのＭＡＣリンク層を使用する、請求項１に記載のレシーバデバイス（１）。
【請求項３】
前記オーディオビジュアルプログラムを前記リモートデバイスに送信するように適応された、送信モジュールをさらに備える、請求項１または２に記載のレシーバデバイス（１）。
【請求項４】
情報要素（１００）を前記第２のインタフェースのリンク層に挿入するように適応された挿入モジュール（３１）をさらに備え、前記情報要素（１００）は、オーディオビジュアルコンテンツの前記アイテムのオーディオおよび／またはビデオコンポーネントを復号する動作の前に、ＭＡＣネットワークリンク層において、前記第１のインタフェース（２）から受信された前記少なくとも１つのオーディオビジュアルプログラムを前記第２のインタフェース（３）を介して送信する能力を表す情報のアイテムを送信するように適応される、請求項１から３のいずれか一項に記載のレシーバデバイス（１）。
【請求項５】
前記第２のインタフェース（３）のＭＡＣリンク層において、前記第２のインタフェース（３）に接続された前記リモートデバイス（７）に送信されるデータストリームに連続して挿入されるフレームに、前記少なくとも１つのオーディオビジュアルプログラムを挿入するように適応されたデータ挿入モジュール（４、３１）をさらに備える、請求項１から４のいずれか一項に記載のレシーバデバイス（１）。
【請求項６】
オーディオビジュアルプログラムを復号するように適応された、復号モジュールをさらに備える、請求項１から５のいずれか一項に記載のレシーバデバイス（１）。
【請求項７】
オーディオビジュアルプログラムを再生するように適応された、再生デバイス（８）をさらに備える、請求項１から６のいずれか一項に記載のレシーバデバイス（１）。
【請求項８】
前記受信されたオーディオビジュアルプログラムは伝送ネットワーク（５）の複数の伝送チャネルから利用可能であり、伝送チャネルの選択は、リモートコマンドを表す前記受信された情報のアイテムによって制御される、請求項１から７のいずれか一項に記載のレシーバデバイス（１）。
【請求項９】
リモートデバイスから表示フォワーディングする機能と互換性があるインタフェース（３７０）を備えるオーディオビジュアルプログラムを再生する再生デバイス（７）であって、
−前記リモートデバイス（１）の受信パラメータの構成を目的とするリモートコマンドを表す情報のアイテム（２００）を定義するように適応された定義モジュールと、
−前記インタフェース（３７０）から前記表す情報のアイテム（２００）を前記リモートデバイス（１）に送信するように適応された送信モジュールと、
を備える、前記再生デバイス（７）。
【請求項１０】
第１のインタフェース（２）と第２のインタフェース（３）とを備えるオーディオビジュアルプログラムを受信するレシーバクライアントデバイス（１）において実施される、オーディオビジュアルプログラムを転送する方法であって、前記第１のインタフェース（２）は少なくとも１つのオーディオビジュアルプログラムを受信するように適応されており、前記第２のインタフェース（３）はリモートデバイスに表示フォワーディングする機能と互換性があり、
−前記リモートデバイスから、前記レシーバ−デコーダデバイス（１）の受信パラメータの構成を目的とするリモートコマンドを表す情報のアイテム（２００）を受信する（Ｓ２）ステップと、
−リモートコマンドを表す情報の前記アイテム（２００）を使用して前記第１のインタフェース（２）を介して受信されるオーディオビジュアルプログラムの受信の制御を構成するステップと、
を含む、前記方法。
【請求項１１】
前記受信されたオーディオビジュアルプログラムは、伝送ネットワーク（５）の複数の伝送チャネルから利用可能であり、前記構成するステップは、前記受信された情報のアイテムに従って伝送チャネルを選択することを含む、請求項１０に記載の転送方法。
【請求項１２】
オーディオビジュアルプログラムを前記リモートデバイスに送信するステップを含み、前記送信するステップは前記選択を考慮に入れる、請求項１１に記載の転送方法。
【請求項１３】
前記レシーバデバイス上でオーディオビジュアルプログラムを再生するステップを含み、前記再生するステップは前記選択を考慮に入れる、請求項１１または１２に記載の転送方法。
【請求項１４】
前記レシーバデバイスによって事前に受信されたオーディオビジュアルコンテンツのアイテムをブロードキャストするステップを含み、前記ブロードキャストは、前記表す情報のアイテムに従って実施される、請求項１１から１３のいずれか一項に記載の転送方法。
【請求項１５】
リモートデバイス（１）から表示フォワーディングする機能と互換性があるインタフェース（６）を備えるオーディオビジュアルプログラムを再生する再生デバイス（７）上でオーディオビジュアルプログラムを再生する方法であって、
−前記リモートデバイス（１）の受信パラメータの構成を目的とするリモートコマンドを表す情報のアイテム（２００）を定義するステップと、
−前記インタフェース（６）から前記表す情報のアイテム（２００）を前記リモートデバイス（１）に送信するステップと、
を含む、前記方法。
【発明の詳細な説明】
【技術分野】
【０００１】
本発明は、ローカルネットワークの分野に関し、より詳細には、表示フォワーディング（画面ミラーリング）機能に互換性の通知を与える機能を利用するコンテンツ共有に関する。
【背景技術】
【０００２】
（先行技術）
電子機器の多くのアイテムは、ローカルコンピュータネットワーク（ホームネットワークまたはその他）に組み込むことや、他の接続機器と共に、ユーザが利用できるようにする機能の実装に参加することに適している。
【０００３】
ポータブル電子デバイスは、そのサイズが縮小されており、現在ではかなりの移動性が実現できる。ユーザは、従って、そのデバイスをどこでも持ち歩くことができる。画面に特化した技術の発展により、例えば、ポータブルプレーヤ、タブレット、ラップトップコンピュータおよびスマートフォンなどの、オーディオビジュアル再生デバイスにおいて利用可能な画面などの縮小サイズの画面における画像の質が非常に良くなっている。
【０００４】
画面の作成に用いられる最新技術は、例えば、テレビ受信機またはモニタなどの、固定（据え置き型）再生デバイス用の大型再生インタフェースへのアクセスも可能にさせる。
【０００５】
用法および居場所によって、ユーザがコンテンツのアイテムを縮小サイズのディスプレイを備えるモバイルデバイス上か、または大型サイズのディスプレイを備える固定デバイス上で視聴することを好むことになり、コンテンツのアイテムの再生（表示）中、ユーザの視覚的快適性により良く適応される。
【０００６】
従って、スマートフォンまたはタブレットは、車または交通機関で移動する場合にコンテンツのアイテムの視聴に上手く適応するように思われ、大型画面での視聴は、例えば、自宅で映画を見るのに好まれることが非常に多い。
【０００７】
最近では、機能によってユーザが簡単なやり方でオーディオビジュアルコンテンツのアイテムの再生を無線接続を使用して固定デバイスおよび／またはより大きいサイズのデバイスのポータブル機器のアイテム上で制御できるようになった。この動作は、これ以降の本明細書において「表示フォワーディング」または「再生フォワーディング」と呼ばれる。従って、ポータブルデバイスを使用してキャプチャされる（保存される）コンテンツのアイテムは、２つのデバイスが接近し、両方とも用いられる接続技術と互換性がある場合、より大きい（表示）サイズの再生デバイスによって容易且つ迅速に表示されることができる。
【０００８】
従って、Ｍｉｒａｃａｓｔという名でも知られる、規格化されたＷｉＦｉ  Ｄｉｓｐｌａｙ技術によって、スマートフォンタイプのデバイスが無線接続を用いて、そのローカルコンテンツ（つまり、内部メモリに保存されたコンテンツ）をリモート再生デバイス上で表示することが可能となる。ＷｉＦｉ  ＤｉｓｐｌａｙおよびＭｉｒａｃａｓｔ技術の両方は、ＷｉＦｉ  Ｄｉｒｅｃｔ技術から構築される。
【０００９】
他の独自ソリューションも存在し、ユーザに例えば、Ａｐｐｌｅ社製のＡｉｒ  Ｐｌａｙ、Ｉｎｔｅｌ社製のＷｉＤｉおよびミラーオーピー(mirrorop)などの、同じフューチャを提供する。
【００１０】
後続の段落において、「ＷｉＦｉ  Ｄｉｓｐｌａｙ」機能は、ＷｉＦｉ  Ｄｉｒｅｃｔに基づいておよびＢｌｕｅｔｏｏｔｈ（登録商標）技術と同様のやり方でピアツーピア無線接続によって表示フォワーディングする機能として定義され、圧縮オーディオビジュアルコンテンツを機器のリモートアイテムにブロードキャストできるようにする。「ＷｉＦｉ  Ｄｉｓｐｌａｙ規格」を使用して、ＷｉＦｉ  Ｄｉｒｅｃｔで定義されたプロトコル要素のセットおよび「ＷｉＦｉ  Ｄｉｓｐｌａｙ」で指定されたプロトコル要素のセットを表して、Ｍｉｒａｃａｓｔと呼ばれる規格でサポートされるように表示フォワーディングの機能の実施ができるようにする。「ＷｉＦｉ  Ｄｉｒｅｃｔ」は、アクセスポイントを用いずに、機器の２つのアイテムをＷｉＦｉリンクによって互いに直接接続させることができる規格である。ＷｉＦｉ  Ｄｉｓｐｌａｙに従った表示フォワーディング機能は、関係している両方のデバイスが互換性を持つことを要求する。
【００１１】
ＷｉＦｉ  Ｄｉｓｐｌａｙの媒体として機能するＷｉＦｉ  Ｄｉｒｅｃｔは、製造者連合「ＷｉＦｉ  Ａｌｌｉａｎｃｅ」による説明の通り、それ自体がダイレクトピアツーピアＷｉＦｉ接続機能の認証・互換性のマークとして「ＷｉＦｉ  Ａｌｌｉａｎｃｅ」によって定義されている。
【００１２】
ユーザがＷｉＦｉ  Ｄｉｓｐｌａｙ技術と互換性があるポータブル機器のアイテムを有する場合、快適な画面が装備された機器の互換アイテムを有していれば、ユーザは、このようなユーザフレンドリーな表示技術によって生じた利益を享受する。
【００１３】
これと平行して、多数のデバイスは、コンテンツ共有機能が実施され、ローカルネットワークに接続されるように装備されている。コンピュータ、データストレージユニットおよび表示デバイスなどの、こうしたデバイスは、例えば、ＵＰｎＰ（ユニバーサルプラグアンドプレイ）／ＤＬＮＡ（デジタルリビングネットワークアライアンス）規格で記述されたようなコンテンツ共有機能をサポートする。
【００１４】
しかしながら、これらの機能の実施は、製品の生産コストに対する追加コストを表す、ライセンスへの支払いを製造者に要求する。
【発明の概要】
【００１５】
第１の態様によれば、本発明は、例えば、コンテンツの１または複数のアイテムを共有する目的でＷｉＦｉ  Ｄｉｓｐｌａｙ（市販ではＭｉｒａｃａｓｔとしても知られている）などの、表示フォワーディング機能に互換性の通知を与える機能を利用してオーディオビジュアルプログラムを転送する方法を提案することによって、最新技術を改善することを可能にする。
【００１６】
本発明の概念は、Ｍｉｒａｃａｓｔなどの、表示フォワーディング規格が、例えば、機器のアイテムに対して表示能力の規格化された通知を使用するという事実を巧妙に利用する。この考えは、表示能力ではなく、オーディオビジュアルまたは他のコンテンツをパブリッシュする（利用可能にする）能力をパブリッシュするためにこのような通知能力を使用することであり、通知情報を受信する機器の第２のアイテムが、コンテンツの１または複数のアイテムを第２のアイテムに送信する要求ができるようにする。この要求は、コマンドを表す情報のアイテムを送信することによって行われる。
【００１７】
このために、本発明によるオーディオビジュアルプログラムを転送する方法は、オーディオビジュアルプログラムを受信するデバイスに適用される。レシーバクライアントは、第１のインタフェースと第２のインタフェースとを備える。第１のインタフェースは、オーディオビジュアルコンテンツ（少なくとも１つ）のアイテムを受信するように適応され、第２のインタフェースは、受信時に表示フォワーディング機能と互換性があるリモート再生デバイスとの無線ダイレクトポイントツーポイント接続に適応される。
【００１８】
本発明の実施形態によれば、転送方法は、
−前記リモートデバイスから、前記レシーバデバイスの受信パラメータの構成を目的とするリモートコマンドを表す情報のアイテムを受信することと、
−リモートコマンドを表す情報の前記アイテムを使用して前記第１のインタフェースを介して受信されるオーディオビジュアルプログラムの受信の制御を構成することを備える。
【００１９】
より詳細には、いくつかの実施形態において、方法は、
−情報要素（「ＩＥ」と呼ばれる）を第２のインタフェースのリンク層に挿入することであって、オーディオビジュアルコンテンツの符号化アイテムのオーディオおよび／またはビデオコンポーネントを復号する動作の前に、ＭＡＣネットワークリンク層において、第２のインタフェースを介して、第１のインタフェースから受信されたオーディオビジュアルコンテンツの符号化アイテムを送信する能力を表す情報のアイテムを送信するように適応される、前記情報要素を挿入することと、
−情報のアイテムをダイレクトポイントツーポイントリンクによって第２のインタフェースに接続されたリモートデバイスから受信することであって、ダイレクトリンクが、情報のアイテムを送信するためにＭＡＣリンク層を使用し、情報のアイテムが、レシーバデバイスの受信、構成または再生パラメータの変更を目的とするリモートコマンドを表している、受信と、
−リモートコマンドを表す情報のアイテムを使用して第１のインタフェースを介して受信されたオーディオビジュアルコンテンツのアイテムの受信および／または再生の制御を構成することと、
−ＭＡＣリンク層において第２のインタフェースに接続されたリモートデバイスに送信されるデータストリームに挿入されるフレームにオーディオビジュアルコンテンツの符号化アイテムを挿入するように適応されたデータを挿入することと、を含む。
【００２０】
有利には、ダイレクトピアツーピア無線接続を用いて接続されるリモートデバイスから表示フォワーディングを実施するためのコンテンツのアイテムを受信するように適応されたインタフェースは、従って、受信されたオーディオビジュアルコンテンツのアイテムをリモートデバイスに送信するのに使用されることができる。
【００２１】
本発明の実施形態によれば、表示フォワーディング機能およびリモートコマンドを表す情報のアイテムは、ＷｉＦｉ  Ｄｉｒｅｃｔダイレクトポイントツーポイント通信規格またはこの規格の改訂版に基づくＷｉＦｉ  Ｄｉｓｐｌａｙ規格と互換性がある。
【００２２】
本発明の実施形態によれば、第２のインタフェースは、無線ローカルネットワーク、例えば、無線通信規格ＩＥＥＥ８０２．１１−２０１２またはその改訂版のうちの１つなどの、無線通信規格と互換性がある双方向無線通信インタフェースと通信するためのインタフェースである。
【００２３】
本発明の特定の実施形態によれば、前記受信されたオーディオビジュアルプログラムは、伝送ネットワークの複数の伝送チャネルから利用可能であり、前記構成することは、前記受信された情報のアイテムに従った伝送チャネルを選択することを備える。特定の特性により、前記転送方法は、オーディオビジュアルプログラムを前記リモートデバイスに送信することを備え、前記送信は、前記選択することを考慮に入れる。
【００２４】
特定の特性により、前記転送方法は、オーディオビジュアルプログラムを前記レシーバデバイス上で再生することを備え、前記再生は、前記選択を考慮に入れる。
【００２５】
特定の特性により、前記転送方法は、前記レシーバデバイスによって事前に受信されたオーディオビジュアルコンテンツのアイテムのブロードキャストを備え、前記ブロードキャストは、前記表す情報のアイテムに従って実施される。
【００２６】
明示的に説明されていないが、転送方法に関する本実施形態は、任意の組み合わせまたは部分的組み合わせにおいて用いることができる。例えば、いくつかの実施形態は、ＷｉＦｉ  Ｄｉｒｅｃｔダイレクトポイントツーポイント通信規格またはこの規格の改訂版に基づくＷｉＦｉ  Ｄｉｓｐｌａｙ規格と互換性がある表示フォワーディング機能およびリモートコマンドを表す情報のアイテムと、伝送ネットワークの複数の伝送チャネルから利用可能な受信されたオーディオビジュアルプログラムとに関与することができ、前記構成は、前記受信された情報のアイテムに従って伝送チャネルを選択することと、オーディオビジュアルプログラムを前記リモートデバイスに送信することとを含み、前記送信は前記選択を考慮に入れる。
【００２７】
別の態様によれば、本発明は、リモートデバイスから表示フォワーディングする機能と互換性があるインタフェースを備えるオーディオビジュアルプログラムを再生するデバイス上でオーディオビジュアルプログラムを再生するための方法に関する。特定の実施形態によれば、再生方法は、
−前記リモートデバイスの受信パラメータの構成を目的とするリモートコマンドを表す情報のアイテムを定義することと、
−前記インタフェースから前記情報を表すアイテムを前記リモートデバイスに送信することと、を含む。
【００２８】
明示的に説明されていないが、再生方法は、すでに説明した転送方法と協調するために、他のステップをその実施形態のいずれかにおいてさらに備える。
【００２９】
本発明は、さらに、オーディオビジュアルプログラムを受信するデバイスに関する。
【００３０】
レシーバデバイスは、第１のインタフェースと第２のインタフェースを備える。第１のインタフェースは、オーディオビジュアルコンテンツのアイテムの受信に適応されて、第２のインタフェースは、受信時にリモートデバイスに表示フォワーディングする機能と互換性がある。
【００３１】
特定の実施形態によれば、前記レシーバデバイスは、
−前記リモートデバイスから、前記レシーバデバイスの受信パラメータの構成を目的とするリモートコマンドを表す情報のアイテムを受信するように適応された受信モジュールと、
−リモートコマンドを表す情報の前記アイテムを使用して前記第１のインタフェースを介して受信されるオーディオビジュアルプログラムの受信を制御するように適応された制御モジュールと、を備える。
【００３２】
本発明の特定の実施形態によれば、第２のインタフェースは、リモートデバイスとの無線ダイレクトポイントツーポイント接続のために構成されることができる。
【００３３】
本発明の特定の実施形態によれば、レシーバデバイスは、
−情報要素を第２のインタフェースのリンク層に挿入するように適応された挿入モジュールであって、情報要素が、オーディオビジュアルコンテンツの符号化アイテムのオーディオおよび／またはビデオコンポーネントを復号する動作の前に、ＭＡＣネットワークリンク層において、第２のインタフェースを介して、第１のインタフェースから受信されたオーディオビジュアルコンテンツの符号化アイテムを送信する能力を表す情報のアイテムを送信するように適応された、挿入モジュールと、
−ダイレクトポイントツーポイントリンクによって第２のインタフェースに接続されたリモートデバイスから情報のアイテムを受信するように適応された受信モジュールであって、ダイレクトリンクが、情報のアイテムを送信するためにＭＡＣリンク層を使用し、情報のアイテムが、レシーバデバイスの受信または再生パラメータの変更を目的とするリモートコマンドを表すように適応された、受信モジュールと、
−リモートコマンドを表す情報のアイテムを使用して第１のインタフェースを介して受信されたオーディオビジュアルコンテンツのアイテムの受信および再生を制御するように適応された、制御モジュールと、
−ＭＡＣリンク層において第２のインタフェースに接続されたリモートデバイスに送信されるデータストリームに連続して挿入されるフレームに、オーディオビジュアルコンテンツの符号化アイテムを挿入するように適応されたデータ挿入モジュールと、を備える。
【００３４】
本発明の実施形態によれば、レシーバクライアントは、オーディオビジュアルコンテンツを再生するデバイスを備え、その表示フォワーディング機能は、ＷｉＦｉ  Ｄｉｒｅｃｔダイレクトポイントツーポイント通信規格、またはこの規格の改訂版に基づくＷｉＦｉ  Ｄｉｓｐｌａｙ機能と互換性がある。
【００３５】
本発明の実施形態によれば、第２のインタフェースは、無線通信規格ＩＥＥＥ８０２．１１−２０１２またはその改訂版のうちの１つと互換性がある双方向無線通信インタフェースである。
【００３６】
本発明の実施形態によれば、受信されたオーディオビジュアルプログラムは、複数の伝送チャネルから利用可能であり、伝送チャネルの選択は、リモートコマンドを表す受信された情報のアイテムによって制御される。
【００３７】
特定の特性により、レシーバデバイスは、
−セットトップボックスと、
−テレビ受信機と、
−コンピュータと、を備えるグループに属する。
【００３８】
特定の特性により、前記情報を表すアイテムは、
−受信時に選択されるプログラム番号と、
−選択される伝送チャネル番号と、
−現在のチャネル番号のインクリメントと、
−現在のチャネル番号のデクリメントと、を備えるグループに属する。
【００３９】
明示的に説明されていないが、レシーバデバイスは、すでに説明した転送方法を実施するために構成された他のモジュールをその実施形態のいずれかにおいてさらに備えることができる。
【００４０】
さらに別の態様によれば、本発明は、リモートデバイスから表示フォワーディングする機能と互換性があるインタフェースを備えるオーディオビジュアルプログラムを再生するデバイスに関する。
【００４１】
本発明の特定の実施形態によれば、前記デバイスは、
−前記リモートデバイスの受信パラメータの構成を目的とするリモートコマンドを表す情報のアイテムを定義するように適応された定義モジュールと、
−前記インタフェースから前記情報を表すアイテムを前記リモートデバイスに送信するように適応された送信モジュールと、を備える。
【００４２】
特定の特性により、再生デバイスは、
−タブレットと、
−グラフィカル画面が装備された電話機と、
−スマートフォンと、
−コンピュータと、を備える。
【００４３】
明示的に説明されていないが、再生デバイスは、すでに説明した再生方法を実施するために構成された他のモジュールをその実施形態のいずれかにおいてさらに備えることができる。
【図面の簡単な説明】
【００４４】
添付図面を参照して行われる以下の説明を読めば、本発明がよりよく理解され、他の具体的な特徴および利点も明らかになる。
【図１】第１のインタフェースによって伝送ネットワークに接続されて無線通信インタフェースによって機器のリモートアイテムに接続される、オーディオビジュアルコンテンツレシーバ−デコーダクライアントデバイスを示す図である。
【図２】図１に見えるクライアントレシーバ−デコーダデバイスの無線通信インタフェースモジュールの詳細を示す図である。
【図３】本発明によるオーディオビジュアルプログラムを転送する方法を示した機能図である。
【図４】本発明によるオーディオビジュアルプログラムを再生する方法を示した機能図である。
【図５】図１に見えるリモート再生デバイスの詳細を示す図である。
【発明を実施するための形態】
【００４５】
図１、図２および図５において、図示したモジュールは、物理的に区別できるユニットに対応してもしなくてもよい機能ユニットである。例えば、このようなモジュールまたはそれらの一部は、単一のコンポーネント内にまとめられるか、または同じソフトウェアの機能の構成要素となる。これに反して、他の実施形態によれば、一部のモジュールは、別個の物理的エンティティから成る。
【００４６】
図１は、本発明の非制限的な実施形態による、第１のインタフェース２によって伝送ネットワーク５に接続され且つ無線通信インタフェース３、３７０経由でリモートデバイス７に接続されている、オーディオビジュアルプログラムレシーバ−デコーダデバイス１を示している。
【００４７】
いくつかの実施形態において、オーディオビジュアルプログラムを受信するデバイスは、デバイス自体でプログラムを再生せずに、第１のインタフェースによって受信されたオーディオビジュアルプログラムをリモートデバイスに送信することができる。他の実施形態において、レシーバデバイスは、受信されたオーディオビジュアルプログラムを送信して、さらに再生することができる。このような実施形態において、図１に示されるように、レシーバデバイスは、オーディオビジュアルプログラムを再生するモジュールを備える。実施形態によれば、レシーバデバイスは、図１に示した実施形態のように、プログラムを事前に復号せずに送信するか、またはその代わりにプログラムを事前に復号して送信することができる。
【００４８】
図１に示した実施形態において、レシーバデバイス１は、一般に「ＳＴＢ」または「セットトップボックス」とも呼ばれ、オーディオビジュアルコンテンツのアイテムの送信、受信およびコーディング／デコーディングの分野において当業者には周知である、レシーバ−デコーダである。レシーバ−デコーダデバイスは、データ伝送ネットワーク５に接続されているデータ受信インタフェース２を備える。図示された本発明の実施形態によれば、伝送ネットワーク５は、例えば、楽曲、映画、ビデオクリップ、またはテレビ番組などの、オーディオビジュアルコンテンツの１または複数のアイテムを符号化するデータを受信できるようにするＩＰ（インターネットプロトコル）ネットワークである。変形形態によれば、ネットワーク５は、地上波デジタルテレビをブロードキャストするあるいはケーブルデジタルテレビまたは衛星デジタルテレビをブロードキャストするためのネットワークである。他の変形形態によれば、ネットワーク５は、タイプ３Ｇまたは４Ｇあるいはそれらの発展型のうちの１つから成るデータ伝送ネットワークであり、データ交換に加え、携帯電話の遠距離通信にさらに適応される。
【００４９】
クライアントレシーバ−デコーダ１は、従って、分散（またはブロードキャスト）ネットワーク５に接続された、図示されていないソースからオーディオビジュアルコンテンツの１または複数のプログラムまたはアイテムを受信することができる。レシーバ−デコーダ１は、複数のチャネルの中から受信チャネルを選択するように適応される。図示された本発明の実施形態によれば、クライアントレシーバ−デコーダ１は、ＩＰによるデジタルテレビのブロードキャストと互換性があるＩＰＴＶマルチキャスト伝送セッション中にオーディオビジュアルプログラムを受信する。
【００５０】
クライアントレシーバ−デコーダ１は、オーディオビジュアルコンテンツのアイテムの受信、デコーディングおよび再生機能に専用のＳＯＣ（システムオンチップ）タイプの制御ユニットモジュール４を組み込んでいる。制御ユニット４は、従来オーディオビジュアルプログラムレシーバ−デコーダデバイスにおいて使用されてきた機能、即ち、ランダムアクセスメモリ（ワーキングメモリ）および不揮発性メモリ（格納用メモリ）モジュールと関連付けられたデマルチプレクサモジュール、バッファメモリ、デコーディングユニット、１または複数のビデオ出力インタフェース、１または複数のオーディオ出力インタフェース、１または複数のマイクロコントローラを実施するように適応されたモジュールのセットと、従来レシーバ−デコーダアーキテクチャに存在するすべての回路（電源供給回路、リセット回路、クロック回路など）と、を組み込んでいる。制御ユニット４は、別のフォーマットに従ってオーディオビジュアルコンテンツのアイテムを符号化するデータをオーディオビジュアルコンテンツの同じアイテムを符号化する他のデータに変換することを可能にするビデオトランスコーダをさらに備える。このトランスコーダは、例えば、必要に応じてＭＰＥＧ２圧縮フォーマットで受信されたオーディオビジュアルコンテンツのアイテムをＨ．２６４フォーマットのオーディオビジュアルコンテンツのアイテムに変換することを可能にし、逆もまた同様に可能である。
【００５１】
レシーバ−デコーダ１は、コンテンツブロードキャストネットワーク５に接続されたインタフェース２に加え、アンテナに接続された無線通信インタフェース３も備える。本発明の実施形態によれば、インタフェース３は、無線ローカルネットワークと通信するためのインタフェース、例えば、無線通信規格ＩＥＥＥ８０２．１１（例えば、ＩＥＥＥ８０２．１１−２０１２またはその改訂版のうちの１つ）に従ってデータを送受信するように適応されたＷｉＦｉ無線通信インタフェースである。レシーバ−デコーダ１の制御ユニット４は、ＷｉＦｉ無線通信インタフェース３と関連して、Ｍｉｒａｃａｓｔ規格と互換性がある表示フォワーディング機能の実施ができるようにする。クライアントレシーバ−デコーダデバイス１は、オーディオビジュアルコンテンツを再生するデバイス８と、例えば、ＨＤＭＩ（登録商標）（高精細度マルチメディアインタフェース）タイプのリンクを介して外部再生デバイス（モニタまたはテレビ受信機）に接続するように適応されたインタフェースとを備える。Ｍｉｒａｃａｓｔ表示フォワーディング規格との互換性により、クライアントレシーバ−デコーダ１は、リモートモバイルデバイスからレシーバ−デコーダのＷｉＦｉ無線通信インタフェース３を介して、オーディオビジュアルコンテンツの符号化アイテムを備える受信データフレームを構成でき、このリモートデバイスから受信されたオーディオビジュアルコンテンツのアイテムが、レシーバ−デコーダ１の再生デバイス８によってまたはレシーバ−デコーダ１に接続された外部再生デバイスによって再生されるようにできる。これは、特に、Ｍｉｒａｃａｓｔ規格との互換性により、レシーバ−デコーダ１が、表示可能な情報フレームをポイントツーポイント無線リンク６によってインタフェース３に接続された任意のデバイス（例えば、レシーバ−デコーダのインタフェース３７０経由のリモートデバイス７）に送信するので、その表示能力は、互換性があるモバイルデバイスのユーザの利益のために表示フォワードされることを目的とする。
【００５２】
しかし非常に巧妙に、そして本発明の実施の有利な形式により、クライアントレシーバ−デコーダデバイス１は、ポイントツーポイントリンク６を介して無線インタフェース３に接続されたリモート再生デバイス７によって受信されおよび解釈される情報フレームでデータ１００を送信することによって、それが（リモートデバイスが）レシーバ−デコーダデバイス１において受信されおよび再生されるコンテンツのアイテムの可用性を通知されることができるようにする。従って、本発明によれば、リモート再生デバイス７（例えば、特定の実施形態において示される移動用に設計された、縮小サイズの再生画面１０を有する端末機）は、特に、より快適に使用する目的でフォワードされる表示を実施するためにＭｉｒａｃａｓｔ互換のレシーバ−デコーダ１を使用するリモートデバイスの能力に加え、表示する目的で受信されおよび再生されるオーディオビジュアルコンテンツのアイテムをリモートデバイスに送信することを要求できる。有利には、表示フォワーディング規格に従ってデータフレームの送信を実施する無線リンク６は、「反対方向」で使用され、従って、クライアントレシーバ−デコーダ１によって受信されおよび再生されるオーディオビジュアルコンテンツのアイテムをリモートモバイルデバイス７上で受信しおよび再生することを可能にする。従って、受信時にクライアントレシーバ−デコーダ１を使用してオーディオビジュアルプログラムを見ているユーザは、このレシーバから離れて、その後表示品質の低下を体験するに過ぎないとしても、接続されたモバイルデバイス７をユーザが持っていくことができる。このような可能性は、有利には、ユーザが、例えば、隣室の電話に出ようとする間にレシーバ−デコーダ１によって受信されるオーディオビジュアルコンテンツのアイテムを視聴し続けることが可能となる。
【００５３】
図示された実施形態において、リモートモバイルデバイス７は、ＷｉＦｉ  Ｄｉｓｐｌａｙ（Ｍｉｒａｃａｓｔ）およびＷｉＦｉ  Ｄｉｒｅｃｔ  ＷｉＦｉ通信規格に従ったデータの送受信の実施と、データの受信、エンコーディング、デコーディングおよび再生と、これらの機能に関連するその他の処理動作とにおいて使用されるすべてのモジュールおよび回路を備える。図示された特定の実施形態によれば、モバイルリモートデバイス７は、例えば、「スマートフォン」タイプの電話機などの、画面が装備された携帯電話機またはタブレットまたはラップトップコンピュータであり、それらのアーキテクチャの詳細は、本発明を理解するのに役立たないので、ここでは詳しく述べない。
【００５４】
図示された特定の実施形態によれば、オーディオビジュアルプログラムレシーバ−デコーダ１は、第１のインタフェース２と第２のインタフェース３を備え、第１のインタフェース２は、ブロードキャストネットワーク５からオーディオビジュアルコンテンツのアイテムを受信するように構成され、第２のインタフェース３は、その一部がリモートデバイス（例えば、スマートフォンまたはタブレットタイプなどの、モバイルデバイス７）と無線ダイレクトピアツーピア接続を行うように構成されていて、送信時に表示フォワーディング機能と互換性がある。図示された実施形態において、レシーバ−デコーダデバイス１は、
−情報要素を第２のインタフェース３のリンク層に挿入するように適応された、インタフェース３０に含まれる挿入モジュール３１（図２の説明も参照のこと）であって、情報要素１００が、オーディオビジュアルコンテンツの符号化アイテムのオーディオおよび／またはビデオコンポーネントを復号する動作の前に、ＭＡＣネットワークリンク層において、第２のインタフェース３経由で第１のインタフェース２から事前に受信されたオーディオビジュアルコンテンツの符号化アイテムを送信する能力を表す情報のアイテムを送信するように適応された、挿入モジュール３１と、
−ダイレクトポイントツーポイントリンク６によって第２のインタフェース３に接続されたリモートモバイルデバイスから情報のアイテム２００を受信するための、無線インタフェースモジュール３のサブアセンブリである受信モジュール３１であって、ダイレクトリンク６が、情報のアイテム２００を送信するためにＭＡＣリンク層を使用し、情報のアイテム２００が、レシーバ−デコーダデバイス１の受信または再生パラメータの変更を目的とするリモートコマンドを表している、受信モジュールと、
−リモートコマンドを表す情報のアイテム（２００）を使用して前記第１のインタフェース（２）を介して受信されたオーディオビジュアルコンテンツのアイテムの受信および再生を制御するように適応された、制御モジュール４と、
−第２のインタフェース３のＭＡＣリンク層においてモバイルリモートデバイス７に送信されるデータストリームに連続して挿入されるフレームにオーディオビジュアルコンテンツの符号化され、受信されたアイテムを挿入するように適応された、データ挿入モジュール４、３１とをさらに備える。
【００５５】
さらなる実施形態によれば、レシーバ−デコーダデバイス１は、オーディオビジュアルプログラム再生デバイス８を備え、その表示フォワーディング機能は、ＷｉＦｉ  Ｄｉｒｅｃｔダイレクトポイントツーポイント通信規格に基づいたＷｉＦｉ  Ｄｉｓｐｌａｙ（Ｍｉｒａｃａｓｔ）機能と互換性がある。さらに、第２のインタフェース３は、例えば、無線通信規格ＩＥＥＥ８０２．１１−２０１２またはその改訂版のうちの１つと互換性があるインタフェースのような、双方向無線通信インタフェースである。
【００５６】
ブロードキャストネットワーク５経由で受信されるオーディオビジュアルプログラムは、伝送ネットワーク５の複数の伝送チャネル、例えば、ＩＧＭＰブロードキャストプロトコルを使用してオーディオビジュアルコンテンツのアイテムのブロードキャストができるようにする、マルチキャストブロードキャストＩＰアドレスから利用可能であり、伝送チャネルの選択は、モバイルリモートデバイス７からレシーバ−デコーダ１によって受信された情報のアイテムによって制御され、情報のアイテムは、リモートコマンドを表している。こうしたリモートコマンドを表す情報のアイテムは、例えば、プログラム番号、チャネル番号、チャネルの受信時にそのインデックスがチャネルのリスト内で即時に減じられる／増加される（Ｐ−，Ｐ＋）要求に解読されるコード、画像フリージングおよびバッファリングの要求（ＳＴＯＰまたは再生の再開の延期に伴う休止）、または再生の再開の要求（ＰＬＡＹコマンド）である。
【００５７】
従って、モバイルリモートデバイス７から無線通信インタフェース３経由で受信されるリモートコマンドを表す情報のアイテム２００は、受信されたコマンドに従ってアイテムを解読してレシーバ−デコーダ１の１または複数の要素を構成する、制御ユニット４に送信される。従って、コマンドが、チャネルに合わせてまたは接続して、チャネルのインデックスがネットワーク５で利用可能なブロードキャストチャネルのリストに即時に増加される命令を符号化すれば、レシーバ−デコーダ１の制御ユニット４は、関係しているチャネルに送信されるデータを受信するためにネットワーク５に接続するインタフェース２を構成または再構成する。
【００５８】
図示された本発明の実施形態によれば、レシーバ−デコーダデバイス１によって受信されて、モバイルリモートデバイス７によって送信されるコマンドは、レシーバ−デコーダ１の再生モジュール８によってまたはレシーバ−デコーダ１に接続された外部再生デバイスによって再生されるオーディオビジュアルプログラムの進行中に受信および再生を変更しないが、オーディオビジュアルプログラムの受信および送信時のみにリモートモバイルデバイス７に送信されてそのデバイスによって再生される。変形実施形態によれば、レシーバ−デコーダデバイス１によってモバイルリモートデバイス７から受信されるコマンドは、レシーバ−デコーダ１上で進行中の再生にリンクされた受信・再生機能を再構成し、リモートデバイス７は、従って、レシーバ−デコーダ１から受信されたオーディオビジュアルコンテンツのアイテムを再生するデバイスとして機能することに加え、デコーダ−レシーバの受信に介在する。言い換えれば、図示された本発明の実施形態によれば、リモートデバイスは、レシーバ−デコーダ１によって進行中のコンテンツのアイテムの受信および再生とは無関係に、ＷｉＦｉ  Ｄｉｓｐｌａｙ／Ｍｉｒａｃａｓｔ互換リンクを介してオーディオビジュアルプログラムを受信して、そのプログラムをリモートモバイルデバイス７上で再生することを可能にし、レシーバ−デコーダは、オーディオビジュアルコンテンツの複数のアイテムを同時に受信することができ、一方、変形実施形態によれば、リモートモバイル再生バイス７は、レシーバ−デコーダ１によって受信されて再生処理が行われる間にオーディオビジュアルコンテンツのアイテムを選択する。
【００５９】
本発明の別の変形形態によれば、受信されたコマンドの解読は、事前に受信されてレシーバ−デコーダの内部のデータストレージユニットに格納されるか、またはインタフェース経由でそれに接続されたオーディオビジュアルコンテンツのブロードキャストをもたらし、例えば、ＤＬＮＡ／ＵＰｎＰなどの、相互運用性規格機能に存在するような再生を目的とする。オーディオビジュアルコンテンツのアイテムは、オーディオまたはビデオタイプ、恐らく静的な（画像、写真）から成る。
【００６０】
適用可能であれば、制御ユニット４は、ＷｉＦｉインタフェース３によって送信されるフレームをモバイルリモートデバイス７によって処理するという命令でオーディオビジュアルコンテンツのアイテムをコード変換する。例えば、ネイティブの．ＪＰＥＧフォーマットは、Ｍｉｒａｃａｓｔ互換のスマートフォンタイプの機器のアイテムのネイティブな能力と直接互換性があるＨ．２６４フォーマットでデータストリームにコード変換される。
【００６１】
図２は、本発明の特定のおよび非制限的な実施形態によるオーディオビジュアルプログラムレシーバ−デコーダ１の無線通信インタフェース３のアーキテクチャの詳細を示している。
【００６２】
インタフェース３は、制御ユニット３１と、インタフェースのリンク層に特化した転送・処理ブロック３３とを備える。このブロック３３は、制御ユニットブロック３１に対するデータの送受信を管理する。これら２つの主要な要素は、双方向内部バス３２によって接続されている。
【００６３】
無線通信インタフェース３は、バス３０を介してレシーバ−デコーダ１の制御ユニット４に接続され、リンク３４を介してレシーバ−デコーダ１の外部または内部のアンテナに接続されている。
【００６４】
制御ユニット３１は、情報要素１００（ＩＥ）をインタフェース３のリンク層に挿入することを実行し、これを行うのに内部バッファメモリを使用する。情報要素１００は、挿入される前に、バス３０経由で制御ユニット４によって制御ユニット３１のバッファメモリに書き込まれる。制御ユニット４は、従って、Ｍｉｒａｃａｓｔ規格で記述された固有の情報フィールドに情報要素を書き込み、無線ダイレクトポイントツーポイントリンク６によってレシーバ−デコーダ１のインタフェース３に接続された任意のデバイスが、本発明の原理に従って、Ｍｉｒａｃａｓｔ表示フォワーディング規格に従った表示能力の通知に通常使用される情報要素を使用できることを知ることができ、クライアントレシーバ−デコーダ１からのオーディオビジュアルコンテンツを共有する能力を見つけることができるようにさせる。
【００６５】
図５は、本発明の特定のおよび非制限的な実施形態によるリモート再生デバイス７のアーキテクチャの詳細を示している。
【００６６】
リモート再生デバイス７は、特に、クロック信号も移送するアドレス・データバス３０００によって互いに接続された以下のモジュール、
−マイクロプロセッサ３１０（またはＣＰＵ）と、
−グラフィックカード３２０と、
−例えば、キーボード、マウス、ウェブカメラ、マイクロフォン、ラウドスピーカなどの、１または複数のＩ／Ｏ（入力／出力）デバイス３４０と、
−ＲＯＭ（リードオンリーメモリ）タイプの不揮発性メモリ３５０と、
−ランダムアクセスメモリ（ＲＡＭ）３６０と、
−リモートデバイスから、特にレシーバデバイス７から表示フォワードする機能と互換性がある、例えば、（特にＷＩＦＩ（登録商標）またはＢｌｕｅｔｏｏｔｈタイプの）無線リンク６経由でデータの送信（ＴＸ）と受信（ＲＸ）のために構成された通信インタフェース３７０と、
−電源供給装置３９０と、
−専用バス３３００によってグラフィックカード３２０に直接接続される表示画面タイプの表示デバイス３３０と、を備える。
【００６７】
言及したそれぞれのメモリは、少なくとも１つの「レジスタ」、つまり低容量のメモリゾーン（いくつかのバイナリデータ）または大容量のメモリゾーン（プログラム全体または計算されるもしくは表示されるデータを表すデータのすべてもしくは一部を格納することを可能にする）を備えることができる。
【００６８】
スイッチオンされると、マイクロプロセッサ３１０は、ＲＡＭ３６０のレジスタ３６００に包含されたプログラムの命令をロードして実行し、特に本発明に固有であり、以下で説明される再生方法を実施するアルゴリズムを実行する。
【００６９】
変形形態により、リモートデバイス７は、いくつかのマイクロプロセッサを備える。
【００７０】
別の変形形態により、電源供給装置３９０は、リモートデバイス７の外部にある。
【００７１】
図３に示した実施形態において、マイクロプロセッサ３１０は、特に、
−レシーバデバイス１の受信パラメータの構成を目的とするリモートコマンドを表す情報のアイテム２００を定義することと、
−定義された、表す情報のアイテム２００を表示フォワーディング機能と互換性がある無線インタフェース３７０からレシーバデバイス１に送信し、表示フォワーディング機能と互換性がある無線インタフェース３７０経由でオーディオビジュアルプログラムを受信することと、
−表示フォワーディング機能と互換性がある無線インタフェース３７０経由で受信されたオーディオビジュアルプログラムを再生することを行うように構成されることができる。
【００７２】
図３は、本発明の特定のおよび非制限的な実施形態により、オーディオビジュアルコンテンツを、ブロードキャストネットワーク５に接続されたクライアントレシーバ−デコーダ１から例えば、スマートフォン、タブレットまたはコンピュータタイプのモバイルリモートデバイス７に転送する方法を示す機能図である。
【００７３】
方法は、Ｍｉｒａｃａｓｔ（ＷｉＦｉ  Ｄｉｓｐｌａｙ）規格の機能を使用して、従来（先行技術により）「ＭｉｒａｃａｓｔＳｉｎｋ」として機能してきたデバイスを、本発明の概念により、「Ｍｉｒａｃａｓｔ  Ｄｉｓｐｌａｙ」として動作させることを可能にする。
【００７４】
オーディオビジュアルプログラムレシーバ−デコーダクライアントデバイス１で実施されるオーディオビジュアルプログラムを転送する方法は、
−レシーバ−デコーダが、例えば、第１のインタフェース２に接続されたブロードキャストネットワーク５の事前定義されたチャネルでプログラムを受信する時などの、スイッチオンされて公称動作が開始された後に、レシーバ−デコーダ１の公称動作する状態に対応する初期化Ｓ０と、
−情報要素ＩＥ１００をレシーバ−デコーダ１の第２のインタフェース３のリンク層に挿入することであって、情報要素ＩＥ１００が、レシーバ−デコーダ１によってオーディオビジュアルコンテンツの符号化アイテムのオーディオおよび／またはビデオコンポーネントを復号する動作の前に、ＭＡＣネットワークリンク層において、第２のインタフェース３を介して送信する能力を表す情報のアイテムを、第１のインタフェース２から受信されたオーディオビジュアルコンテンツの符号化アイテムに送信するように適応される、挿入Ｓ１と、
−レシーバ−デコーダ１によって無線インタフェース３を経由して情報のアイテム２００を、ダイレクトポイントツーポイントリンク６によって第２のインタフェース３に接続されたリモートデバイス７から受信することであって、ダイレクトリンク６が、情報のアイテム２００を送信するためにＭＡＣリンク層を使用し、情報のアイテム２００が、レシーバ−デコーダデバイス１の受信、構成または再生パラメータの変更を目的とするリモートコマンドを表している、受信Ｓ２と、
−リモートコマンドを表す情報のアイテム２００を使用して第１のインタフェース２を介して受信されたオーディオビジュアルコンテンツのアイテムの受信および／または再生を制御する構成であって、このステップは、特に、ブロードキャストネットワーク５のクライアントである、レシーバ−デコーダ１によって受信され、復号されおよび再生されたチャネル（またはプログラム）の変更を要求することができる、構成Ｓ３と、
−第２のインタフェース３のＭＡＣリンク層において、レシーバ−デコーダ１の第２のインタフェース３に接続されたモバイルリモートデバイス７に送信されるデータストリームに挿入されるフレームに、オーディオビジュアルコンテンツの符号化アイテムを表すデータを挿入する、挿入Ｓ４とを備える。
【００７５】
従って、最初に、（先行技術によれば）ダイレクトピアツーピア無線接続６を用いて接続されるリモートデバイス７から表示フォワーディングを実施するためのコンテンツのアイテムを受信するように適応されたインタフェース３は、レシーバ−デコーダ１によって受信されたオーディオビジュアルコンテンツのアイテムをリモートデバイス７に送信するのに使用される。本発明の概念によれば、ＷｉＦｉ  Ｄｉｓｐｌａｙ／Ｍｉｒａｃａｓｔリンクは、有利におよび巧妙に「反対方向」の送信に使用される。
【００７６】
本発明の実施形態によれば、表示フォワーディング機能およびリモートコマンドを表す情報のアイテム２００は、ＷｉＦｉ  Ｄｉｒｅｃｔダイレクトポイントツーポイント通信規格またはこの規格の改訂版に基づくＷｉＦｉ  Ｄｉｓｐｌａｙ規格と互換性がある。
【００７７】
本発明の実施形態によれば、第２のインタフェース３は、無線通信規格、例えば、ＩＥＥＥ８０２．１１規格の、ＩＥＥＥ８０２．１１−２０１２版またはその改訂版のうちの１と互換性がある、双方向無線通信インタフェースである。
【００７８】
本発明の実施形態によれば、レシーバ−デコーダ１によって受信されたオーディオビジュアルプログラムは、ネットワーク５の複数の伝送チャネルから利用可能であり、伝送チャネルの選択は、リモートコマンドを表す受信された情報のアイテム２００によって制御される。
【００７９】
全体的に見て、および本発明の実施形態によれば、レシーバ−デコーダ１が、ＷｉＦｉ  Ｄｉｓｐｌａｙ（Ｍｉｒａｃａｓｔ）規格に従って定義されたとおりに情報要素ＩＥを巧妙に送信することによって、これらの情報要素ＩＥを送信するデバイスの能力を接続されたリモートデバイスに通知することを目的とする。情報要素１００をリンク層に挿入することは、符号化されたデータストリームをレシーバ−デコーダ１から例えば、スマートフォンなどのリモートモバイルデバイス７に送信する能力を表す情報のアイテム送出することに対応し、通常、Ｍｉｒａｃａｓｔ表示フォワーディング機能の実施において「Ｍｉｒａｃａｓｔソース」として使用される。言い換えれば、Ｍｉｒａｃａｓｔ機能の実施においてデータストリームトランスミッタとして機能するリモートデバイス７は、ここでは、オーディオビジュアルコンテンツのアイテムを搬送するデータストリームを受信するレシーバ（「シンク」）として巧妙に機能する。この場合のモバイルリモートデバイス７は、クライアントレシーバ−デコーダデバイス１によって受信されるオーディオビジュアルコンテンツのアイテムを再生するための「付加的な」再生デバイスとして動作する。ストリームは、最初にブロードキャストネットワーク５によって送信される。変形実施形態によれば、ストリームは、例えば、ハードディスク、ＵＳＢキーまたはメモリカードなどの、レシーバ−デコーダ１の内部または外部にあるストレージメモリに格納されたファイルから送信されることができる。
【００８０】
ＷｉＦｉ  Ｄｉｓｐｌａｙ規格は、ＷｉＦｉ  Ｄｉｓｐｌａｙ（Ｍｉｒａｃａｓｔ）互換デバイスであると認識（または検出）されるために、ＩＥ（情報要素）をＷｉＦｉ  ＭＡＣフレームに対応して挿入しなければならないことを示す。
【００８１】
ＩＥ１００は、ＷｉＦｉ  Ｄｉｓｐｌａｙ規格によって記述され、関係しているデバイス、即ち、トランスミッタデバイスの特性と相関する。
【００８２】
従って、本発明の詳細な実施形態によれば、レシーバ−デコーダは、これらのＩＥ向けに、ビーコンフレームに埋め込まれた情報要素を指定することによってそれがソースデバイスであることを示し、例えば、オーディオビジュアルコンテンツのアイテムのモデル、符号化能力および利用可能な解像度を示す、情報フィールドを使用する。レシーバ−デコーダ１は、このような情報のアイテムを読み込むことによっておよびレシーバ−デコーダの制御ユニット４経由でそれらのアイテムを事前に取得する。
【００８３】
さらに、クライアントレシーバ−デコーダ１がデバイス７と同様の複数のリモートモバイルデバイスに接続されていれば、クライアントレシーバ−デコーダは、送信される情報要素ＩＥを用いて、それがオーディオビジュアルコンテンツのアイテムのソースであることを接続されたすべてのデバイスに一度に示して、例えば、スマートフォンまたはタブレットなどの、ＩＥを受信するリモート接続されたデバイスがそのユーザに、レシーバ−デコーダ１とのダイレクトピアツーピア無線接続を提案できるようにし、Ｍｉｒａｃａｓｔなどの表示フォワーディング規格と互換性がある表示フォワーディング機能を実施する先行技術によって意図された方向とは巧妙に「反対方向」で、表示フォワーディングが実行されることを目的とする。従って、ユーザは選択ができる。
【００８４】
本発明の実施形態によれば、ＩＥ１００は、例えば、ビーコン、プローブ要求またはプローブ応答パケットなどの、ＭＡＣ層の管理パケットに挿入され、レシーバ−デコーダ１にＷｉＦｉ  Ｄｉｓｐｌａｙ規格と互換性があるソースデバイスであると示すことが可能となり、たとえそのデバイスが元々分散ネットワーク５のクライアントデバイス向けであっても可能である。
【００８５】
図４は、本発明の特定の実施形態によれば、リモートデバイス７上で実施される、オーディオビジュアルプログラムを再生する方法を示す機能図である。
【００８６】
図４に示した実施形態において、再生方法は、
−リモートデバイスが、例えば、無線インタフェース３７０経由でプログラムを受信する時などの、スイッチオンされて公称動作が開始された後に、リモートデバイス７の公称動作する状態に対応する初期化Ｋ０と、
−例えば、特に、ユーザ入力／出力手段（例えば、キーボードなど）によって実施される、レシーバ−デコーダデバイス１の受信パラメータの構成を目的とするリモートコマンドを表す情報のアイテム２００を定義する、定義Ｋ１と、
−無線インタフェース３７０経由で表す情報のアイテム２００を送信する、送信Ｋ２とを備える。
【００８７】
本発明は、Ｍｉｒａｃａｓｔ表示フォワーディング規格に限定されず、モバイルデバイスから、この規格と互換性があるリモート表示デバイスに表示フォワーディングを実施することを可能にするその他の同様の機能にも適用される。
【図１】
2015084513.tif 000003
【図２】
2015084513.tif 000004
【図３】
2015084513.tif 000005
【図４】
2015084513.tif 000006
【図５】
2015084513.tif 000007
【外国語明細書】
2015084513000001.pdf